(57)【要約】      （修正有）【課題】弱風や微風にも優雅にたなびき、強風下では旗の巻上げや巻付きを抑制できるとともに、旗の姿勢を安定にして旗面の模様や文字を容易に認識できる旗類を提供する。【解決手段】旗竿に取り付けるようにした旗類１０の少なくとも一側縁１１に吊り紐１３が間隔をあけて設けられ、吊り紐が旗竿２０に挿通される。一方、吊り紐が設けられる一側縁を除く他側縁のうちの少なくとも１つの側縁には１又は複数の帯状のたなびき補助体３０が設けられる。たなびき補助体は少なくとも１の側縁に切れ目３１が入れられて形成される。切れ目の内端の位置にはミシン目３２を入れるのがよい。【選択図】図１
0003220545.tif 000002
【実用新案登録請求の範囲】
【請求項１】
旗竿に取り付けるようにした旗類において、
全体（１０）の少なくともその一側縁（１１）には吊り紐（１３）が間隔をあけて設けられ、該吊り紐（１３）が旗竿（２０）に挿通される一方、上記一側縁（１１）を除く他の側縁のうちの少なくとも１つには１又は複数の帯状のたなびき補助体（３０）が設けられていることを特徴とする旗類。
【請求項２】
上記たなびき補助体（３０）は上記少なくとも他の側縁に切れ目（３１）が相互に間隔をあけて入れられることによって形成されたものである請求項１記載の旗類。
【請求項３】
上記他縁側（１４）の切れ目（３１）の内端の位置にはミシン目（３２）が入れられている請求項２記載の旗類。
【考案の詳細な説明】
【技術分野】
【０００１】
本考案は旗類に関し、特に弱風や微風にも優雅にたなびくことができる一方．強風下における旗の巻上げや巻付きを抑制できるとともに旗の姿勢を安定にして旗面の模様や文字を認識できるようにした旗に関する。
【背景技術】
【０００２】
神社の祭事、家庭、道路沿いや商店、その他のイベント会場等に様々の旗類が立てられ、風にたなびく旗類の姿は優雅である。
【０００３】
通常、旗類はボール製の旗竿やポールの先端にアームを取り付けた旗竿に、一側縁又は一端縁と上縁の二辺に間隔をあけて設けた吊り紐を挿通することにより、旗類を旗竿に取り付けで掲げられているが、強風下では旗類が巻上がったり旗竿に巻付いたりしてしまうことがあるばかりでなく、激しくたなびいて旗面の模様や文字が見にくくなる。
【０００４】
そこで、強風下においても旗類の巻上りや巻付きを防止するために種々の対策が提案されている。例えば、最下部の乳輪に錘を取付けるようにしたもの（特許文献１、特許文献２）、ガイドを旗竿に押込むようにして取付け、乳輪を覆おうように挟持するようにしたもの（特許文献３）、旗竿に通した筒状のものに乳輪を取付けるようにしたもの（特許文献４）、などが知られている。
【先行技術文献】
【特許文献】
【０００５】
【特許文献１】特開平９−２９２８４９号公報
【特許文献２】実用新案登録第３１３５９３５号公報
【特許文献３】特開２００１−３１８６３７号公報
【特許文献４】実用新案登録第３０９９３５５号公報
【考案の開示】
【考案が解決しようとする課題】
【０００６】
しかし、特許文献１〜４記載の旗類では強風下に起きる旗類の巻上りや巻付きには対応しているものの、弱風下や微風下での旗類の動きについては何ら考慮されていなかった。つまり、弱風下や微風下には旗類は静止していてほとんどたなびかず、旗類の優雅さを発揮しない。
【０００７】
本考案はかかる問題点に鑑み、弱風下や微風下にも優雅にたなびくことができる一方、強風下における旗の巻上げや巻付きを抑制できるとともに旗の姿勢を安定にして旗面の模様や文字を認識できるようにした旗類を提供することを課題とする。
【課題を解決するための手段】
【０００８】
そこで、本考案に係る旗類は、旗竿に取り付けるようにした旗類において、少なくとも一側縁には吊り紐が間隔をあけて設けられ、吊り紐が旗竿に挿通される一方、一側縁を除く他の側縁のうちの少なくとも１つには１又は複数の帯状のたなびき補助体が設けられていることを特徴とする。
【０００９】
本考案の特徴の１つは旗類の吊り紐を設けた一側縁を除く側縁の少なくとも１つの側縁に１又は複数の帯状のたなびき補助体を設けるようにした点にある。
これにより、各帯状のたなびき補助体の面積が旗類全体に比較して小さいので、たなびき補助体が弱風や微風を受けると容易にたなびくことがでぎ、これが旗類全体のたなびきを誘導することになるので、弱風下や微風下であっても旗類全体が優雅にたなびくことができる。
【００１０】
また、旗が強風を受けて巻上りや巻付きが発生するような動きをしようとすると、たなびき補助体が旗類の本体部分と大きさが異なり、本体部分と異なるたなびきの動きをして本体部分の抵抗となる、つまり凧の尾の働きをし、旗の巻上りや巻付きに対する抵抗となるので、旗の巻上りや巻付きを抑制できることが期待できるばかりでなく、本体部分の動きが安定するので、旗面の模様や文字を読み取ることができる。
【００１１】
たなびき補助体は旗類の他の側縁の全体にわたって形成してもよく、又弱風や微風を受けてたなびく主要部分に設けるようにしてもよい。
【００１２】
たなびき補助体は旗類の他の側縁に間隔をあけて切れ目を入れて形成してもよく、たなびき補助体を旗類の他側縁に縫合するようにしてもよい。切れ目を入れる場合、切れ目の内端の位置にミシン目を入れて切れ目が進行しないようにするのがよい。
【図面の簡単な説明】
【００１３】
【図１】本考案の旗類の好ましい実施形態を示す図である。
【図２】上記実施形態の挙動を模式的に示す図である。
【図３】他の実施形態を示す図である。
【図４】さらに他の実施形態を示す図である。
【図５】第４の実施形態を示す図である。
【考案を実施するための形態】
【００１４】
以下、本考案を図面に示す具体例に基づいて詳細に説明する。図１及び図２は本考案に係る旗類の好ましい実施形態を示す。図において、旗類１０は全体として長方形状をなし、旗類１０の一側縁１１及び上縁１２には複数の吊り紐１３が間隔をあけて設けられ、吊り紐１３が旗竿２０のポール２１及びアーム２２に挿通されて旗類１０は旗竿２０に取り付けられている。なお、旗類１０は四角形状以外の任意に形状であってもよい。
【００１５】
旗類１０の他側縁１４には複数の帯状のたなびき補助体３０が設けられている。このたなびき補助体３０は他側縁１４に複数の切れ目３１が間隔をあけて入れられることによって形成され、又他縁側１４の切れ目３１の内端の位置にはミシン目３２が入れられている。なお、たなびき補助体は他側縁だけでなく、上側縁及び下側縁、あるいは他側縁、上側縁及び下側淵のいずれかに設けるようにすさればよい。
【００１６】
他方、旗竿２０は金属製又は合成樹脂製のポール２１の先端の取付け穴に金属製又は合成樹脂製のアーム２２を挿通して組付けて逆Ｌ字形に構成されている。なお、旗竿はポールによって構成されるものであってもよい。
【００１７】
以上のように、旗類１０の風下側の側縁１４に複数の帯状のたなびき補助体３０を設けるようにしたので、各たなびき補助体３０の面積は旗類１０全体に比較して小さく、たなびき補助体３０が弱風や微風を受けると、図２に示されるように容易にたなびくことでぎ、これが旗類１０の全体のたなびきを誘導し、弱風下や微風下であっても旗類１０の全体を優雅にたなびかせることができる。
【００１８】
他方、旗類１０が強風を受けると、旗類１０と巻上りや巻付きが発生するような動きをしようとする。
しかし、このとき、各たなびき補助体３０は旗類１０の全体に比較して小さく、本体部分と異なる動きをして本体部分のたなびきの抵抗となり、短いながらも凧の尾と同様な働きをし、旗の巻上りや巻付きに対する抵抗となるので、旗の巻上りや巻付きを抑制できるばかりでなく、姿勢か安定するので、旗の模様や文字を容易に認識できることが期待される。
【００１９】
図３は第２の実施形態を示し、図１と同一符号は同一又は相当部分を示す。本例では複数の帯状のたなびき補助体３０が相互に間隔をあけて成敗されており，このように切れ目ではなく、間隔をあけてたなびき補助体３０を形成するようにしてもよい。
【００２０】
図４は第３の実施形態を示し、図１と同一符号は同一又は相当部分を示す。本例では旗類１０の他側縁１４の下縁側の部分に複数の帯状のたなびき補助体３０が形成されており、このようにたなびき補助体３０は他側縁１４の全部に形成するのではなく、弱風や微風を受けてたなびく主要部分である旗類１０の下縁側の他側縁に部分的に設けるようにしてもよい。
【００２１】
図５は第４の実施形態を示し、図１と同一符号は同一又は相当部分を示す。本例では旗類１０の他側縁１４が直線状ではなく、曲線状に形成されている。
【符号の説明】
【００２２】
１０    旗類
１１    一側縁
１２    上縁
１３    吊り紐
１４    他側縁
２０    旗竿
２１    ポール
２２    アーム
３０    たなびき補助体
３１    切れ目
３２    ミシン目
【図１】
0003220545.tif 000003
【図２】
0003220545.tif 000004
【図３】
0003220545.tif 000005
【図４】
0003220545.tif 000006
【図５】
0003220545.tif 000007